(57)【要約】  【課題】  マンホール蓋の交換工事において、マンホール蓋の枠を交換する際にも落下物の収集ができる器具を提供することを課題とする。  【解決手段】  マンホール用落下物収集器具として、マンホール直下の床面と、マンホールの下端に連なる横穴の天井との間を突っ張ることにより固定される固定脚と、固定脚の上部に固定されるマンホールの内径にほぼ合致する開口部を有するバケットとより形成することで、下方において固定される固定脚によりバケットを固定し、マンホール蓋の枠を交換する際にバケットを撤去する必要をなくす。【選択図】  図２
0003132011.tif 000002
【実用新案登録請求の範囲】
【請求項１】
マンホール直下の床面と、マンホールの下端に連なる横穴の天井との間を突っ張ることにより固定される固定脚と、
固定脚の上部に固定されるマンホールの内径にほぼ合致する開口部を有するバケットとを有する
マンホール用落下物収集器具。
【請求項２】
前記固定脚は、上部からの操作により側方に出没可能な複数のアームが形成され、
当該アーム群の高さは上部からの操作により調整可能に形成される
請求項１に記載のマンホール用落下物収集器具。
【請求項３】
前記アームの先端部は、前記天井とマンホール下端とにより形成される縁部に係合するように形成される請求項２に記載のマンホール用落下物収集器具。
【請求項４】
前記バケットの開口部の大きさが可変に形成される請求項１から３のいずれか１項に記載のマンホール用落下物収集器具。
【請求項５】
前記バケットは、下端を回動自在に固定された、円形に配列された複数の扇型の羽根が互いに重なることで開口部大きさが可変に形成される請求項４に記載のマンホール用落下物収集器具。
【請求項６】
前記固定脚と前記バケットは係脱可能に形成される請求項１から５のいずれか１項に記載のマンホール落下物収集器具。
【考案の詳細な説明】
【技術分野】
【０００１】
本考案は、マンホール蓋の交換工事に際して落下するコンクリート辺などの落下物を床面に落ちないように収集する器具に関する。
【背景技術】
【０００２】
マンホール蓋と蓋の枠は、道路上に位置しているため通行車両や自然環境により劣化するので、定期的な点検が行われ劣化の大きなものは新しいものに交換される。このマンホールの蓋および枠の交換工事に際しては、枠の内側のコンクリート部分を削岩機により粉砕して取り除くために、粉砕したコンクリート片などがマンホール内に落下する。このために、従来では、マンホールの内径とほぼ等しい木製の円板を古い枠から吊下げる方法や、マンホールの内径とほぼ等しい開口部を持つ布製のバケットをクレーンによりマンホール内に吊下げる方法が採られてきた。
【考案の開示】
【考案が解決しようとする課題】
【０００３】
しかし、木製の円盤を吊るす方法は古い枠に固定しているので、枠の交換作業時には撤去しなければならず、その際にコンクリート片などの落下物がマンホール内に落ちることがあり、クレーンでバケットを吊るす場合も、枠内を通ってバケットが吊るされるので枠を交換する際にはやはりバケットを撤去しなければならず、同様の問題が生じる。
本考案は、かかる問題に鑑みて、マンホール蓋の枠を交換する際においても落下物の収集ができる器具を提供することを課題とする。
【課題を解決するための手段】
【０００４】
上記課題を解決するために、本考案は次のような構成を有する。
請求項１に記載の考案は、マンホール直下の床面と、マンホールの下端に連なる横穴の天井との間を突っ張ることにより固定される固定脚と、固定脚の上部に固定されるマンホールの内径にほぼ合致する開口部を有するバケットとを有するマンホール用落下物収集器具である。
請求項２に記載の考案は、前記マンホール用落下物収集器具において、前記固定脚は、上部からの操作によって側方に出没可能な複数アームが形成され、当該アーム群の高さは上部から操作によって調整可能に形成されるものである。このような構成により、固定脚部分をマンホール上部から床面に挿入する際に、アーム群を没入状態にしておき、マンホールの下端より下でアームを側方に突出させるようにし、その後、アーム群の位置を高くすることで、アーム群を天井に押し付け、固定脚部分を床面と天井面との間を突っ張って固定する。
請求項３に記載の考案は、請求項２に記載のマンホール用落下物収集器具において、前記アームの先端部は、前記天井とマンホール下端とにより形成される縁部に係合するように形成されるものである。
請求項４に記載の考案は、前記マンホール用落下物収集器具において、前記バケットの開口部の大きさが可変に形成されるものである。
請求項５に記載の考案は、請求項４に記載のマンホール用落下物収集器具において、前記バケットは、下端を回動自在に固定された、円形に配列された複数の扇型の羽根が互いに重なることで開口部大きさが可変に形成されるものである。
請求項６に記載の考案は、前記マンホール落下物収集器具において、前記固定脚と前記バケットは係脱可能に形成されるものである。
【考案の効果】
【０００５】
請求項１に記載の考案は、固定脚はマンホールの下方において固定されこれにバケットが固定されているので、マンホール蓋の枠を交換するに際して撤去する必要がなく、枠の交換作業時においても落下物を収集することができる。
請求項２に記載の考案は、マンホールの上方から固定脚部分を容易に床面と天井との間に固定することができる。
請求項３に記載の考案は、マンホールの下縁部にアーム先端が係合することで、より確実に固定することができる。
請求項４に記載の考案は、バケットの開口部の大きさが可変に形成されることで、種々の大きさのマンホールに適用することができる。また、バケット挿入の際に開口を小さくしておけばスムーズに開口内にバケットを挿入でき、定位置でバケットの開口を調節することでバケットの開口縁とマンホール側面との隙間をほぼなくすことができる。
請求項５に記載の考案は、羽根部分は自然に広がってマンホール側面に当たった位置で止まるので、自動的に開口部を調節することができる。
請求項６に記載の考案は、固定脚とバケットを分離可能にすることで、固定脚のみを最初に床面と天井との間に固定することができ、固定脚の上部が空いた状態で固定作業を行えるので、比較的容易に固定脚の固定作業を行うことができる。  
【考案を実施するための最良の形態】
【０００６】
以下、本考案の実施形態について、図を参照しながら説明する。
図１に実施形態に係るマンホール用落下物収集器具Ｘの縦断面図を示す。マンホール用収集器具Ｘは、固定脚部１０と、バケット部２０とから構成される。
固定脚部１０は、第一支持パイプ１１、第二支持パイプ１２、アーム部１３、縦ネジ部１４とから構成される。
【０００７】
第一支持パイプ１１は、固定脚部１０の最下端に位置し、正方形の板体からなる底板１１ａ、底板１１ａの上面に立設される第一パイプ１１ｂ、第一パイプ１１ｂの上方の対向する側面に設けられる外側貫通孔１１ｃ、第一パイプ１１ｂの上縁に設けられるリング状部材１１ｄとから構成される。第二支持パイプ１２はリング部材１１ｄの内径を摺動できる外径を有する第二パイプ１２ａ、第二パイプ１２ａの対向する側面に設けられる内側貫通孔１２ｂとから構成される内側貫通孔１２ｂは上下方向に複数等間隔に配列されており、この内側貫通孔１２ｂと第一パイプ１１ｂの外側貫通孔１１ｃの位置を適宜合わせてピン１２ｃを通すことで、固定脚部１０の長さを調節することができる。
【０００８】
縦ネジ部１４は、ネジ山が形成された棒体である雄ネジ１４ａが、第一パイプ１１ｂの上部に固定されるベアリング１４ｂを介して、第一パイプ１１ｂの上方に回動可能に固定されることで形成される。ベアリング１４ｂはドーム状のカバー１４ｃにより覆われている。また、雄ネジ１４ａの上端には、六角ヘッド１４ｃが固定されている。
【０００９】
アーム部１３は、四方に対称に４組設けられるものであり、各アーム部１３は、円筒体内部に縦ネジ部１４の雄ネジ１４ａに係合する雌ネジが切られた移動ナット１３ａ、移動ナット１３ａの上方に載置される雄ネジ１４が内部を通る穴が設けられたリング状の浮遊リング１３ｂ、移動ナット１３ａに水平から上方ほぼ９０度まで回動可能に固定される水平部材１３ｃ、浮遊リング１３ｂと水平部材１３ｃとのそれぞれに端部で回動可能に固定される細長い板状のリンクアーム１３ｄ、水平部材１３ｃの先端に固定される断面Ｌ字状の係合部１３ｅとから構成される。リンクアーム１３ｄの浮遊リング１３ｂ側には、穴の開いた板である吊り下げ部１３ｄａが固定されている。この吊下げ部１３ｄａに上方に力が加わると、浮遊リング１３ｂは上方に移動し、リンクアーム１３ｄと水平部材１３ｃは縦方向に回動する。吊下げ部１３ｄａに力が加わらない状態においては、重力で、水平部材１３ｃはほぼ水平状態となる。即ち水平部材１３ｃは上部からの吊下げ部１３ｄａの操作により出没可能になっている。また、直線に並ぶ２つの水平部材１３ｃの先端に設けられる係合部１３ｅの角部同士の間隔は、対象となるマンホールの下端部の内径とほぼ一致するように設定されている。また、アーム部１３は移動ナット１３ａに全体が固定されているので、上部から縦ネジ部１４の雄ネジ１４ａを回すことで上下動させることができる。
【００１０】
バケット部２０は、中央に前記縦ネジ部１４が通ることができる丸穴が設けられた円板状の底板２１、底板２１の外周に底部外縁が連結する円筒体からなる蛇腹部２２、底板２１の前記丸穴の上部に固定される上面が封止された円筒体からなるキャップ部２３、蛇腹部２２の上縁部に固定される稼動開口部２４とから構成される。蛇腹部２２は布製の蛇腹を形成することで伸縮可能であり、不使用時にはたたみ、使用時には伸ばした状態で固定して使用することができる。稼動開口部２４は、複数の扇型の板体２４ａから構成されるものであり、それぞれの板体２４ａは幅の狭い方を下方として円形に配列され、下端で蛇腹部２２の上縁に回動可能に固定される。また、上方側は互いに端部が重なり合あっている。このような構造により、稼動開口部２４は壁面に隙間を作ることなく、上縁の開口部の大きさを自在に変えることができる。なお、板体２４ａの上縁近傍にはスリットが設けられており、一方側の板体２４ａに連結する線材がスリット内を通り、止め具で抜けないように固定されている。これにより、稼動開口部２４は一定の大きさ以上には開かないようになっている。また、四方に対称に位置する４枚の板体２４ａの上縁には、穴の開いた板である吊り下げ部２４ａａが固定されている。バケット部２０は、キャップ部２３が固定脚１０の縦ネジ部１４に被さることで固定脚部１０に固定される。
【００１１】
次に、以上のような構成を有するマンホール用落下物収集器具Ｘの使用方法について説明する。まず、施工者は交換するマンホールの蓋を開けて、マンホール直下の床面から、マンホールの下端に連なる横穴の天井までの高さを測定する。
この測定した高さに応じて、固定脚部１０の第一支持パイプ１１と第二支持パイプ１２の長さを調整し、第一支持パイプ１１の基端から第二支持パイプ１２の上端までの高さを、床面から天井までの高さから１０ｃｍ〜２０ｃｍ引いた長さにする。
その後、図２に示すように、アーム部１３の吊下げ部１３ｄａにワイヤーを掛けて、固定脚部１０のみを吊下げ、マンホールＨのほぼ中央位置に下ろしていく。この状態においては、吊下げ部１３ｄａに上方に力がかかるので、アーム部１３のリンクアーム１３ｄ及び水平部材１３ｃは縦方向に回動し水平部材１３ｃは閉じた状態となっているので、マンホールＨ内を容易に通ることができる。固定脚部１０の下端が床面に接触し、さらにワイヤーＷを降ろしていくと、リンクアーム１３ｄおよび水平部材１３ｃが開いてゆき、やがて、水平部材１３ｃが水平状態となる。
【００１２】
次に、図３に示すように、縦ネジ１４ａの先端に設けられている六角ヘッド１４ｃに、上部からクランクのついたボックスレンチＣを係合させて、雄ネジ１４ａを所定方向へ回転させる。これによって、雄ネジ１４ａに係合するアーム部１３の移動ナット１３ａが上昇をすることで、アーム部１３全体が上昇する。やがて、アーム部１３の水平部材１３ｃが天井に達すると、水平部材１３ｃの先端に設けられた係合部１３ｅがマンホールＨと天井との縁に係合し、固定脚部１０は、床面と天井との両方を押圧して突っ張り、固定されることととなる。ここでワイヤーＷは一旦取り外される。
固定脚部１０の固定が完了すると、図４に示すように、バケット部２０の稼動開口部２４に設けられる吊り下げ部２４ａａに、ワイヤーＷを固定し、この状態で、バケット部２０を固定脚部１０上に降ろしていく。バケット部２０のキャップ部２３内に固定脚部１０の雄ネジ１４が挿入され、さらに、ワイヤーＷを降ろすことで、図５に示すように稼動開口部２４の端部がほぼマンホールの壁面に接触すればマンホール用落下物収集装置Ｘの設置は完了する。設置作業完了後、ワイヤーＷは取り外す。
【００１３】
その後、マンホール蓋の枠の周囲及び下部のコンクリートを破砕し枠を取りはずし、新しい枠に交換してコンクリートを打設してマンホールの蓋部分の交換作業は完了する。この作業により発生するコンクリート片などの落下物はバケット２０内に集められることとなる。マンホール用落下物収集装置Ｘの撤去は、設置と逆の手順を踏めばよい。即ち、ワイヤーＷをバケット部２４の吊り下げ部２４ａａに固定し、破砕されたコンクリート片などが溜まったバケット部２４を吊り上げ、次に、縦ネジ１４を先とは逆方向に回してアーム部１３を適当な位置まで下げ、アーム部１３の吊り下げ部１３ｄａにワイヤーＷを掛けて吊り上げることで撤去作業が完了する。
以上のように、マンホール用落下物収集装置Ｘは、下方でバケットを支えるので、マンホール蓋の枠を交換するに際しても撤去する必要がなく、作業完了までマンホール内への落下物を収集することができる。
【図面の簡単な説明】
【００１４】
【図１】実施形態に係るマンホール用落下物収集装置を示す縦断面図である。
【図２】第一の設置工程を示す正面図である。
【図３】第二の設置工程を示す正面図である。
【図４】第三の設置工程を示す正面図である。
【図５】第四の設置工程を示す正面図である。
【符号の説明】
【００１５】
Ｘ      マンホール用落下物収集装置
１０    固定脚部
１１    第一支持パイプ
１２    第二支持パイプ
１３    アーム部
１３ａ  移動ナット
１３ｃ  水平部材
１３ｄ  リンクアーム
１３ｅ  係合部
１４    縦ネジ部
２０    バケット部
２１    底板
２２    蛇腹部
２３    キャップ部
２４    稼動開口部
【図１】
0003132011.tif 000003
【図２】
0003132011.tif 000004
【図３】
0003132011.tif 000005
【図４】
0003132011.tif 000006
【図５】
0003132011.tif 000007